(57)【要約】【課題】自立させた安定状態で注入口部材の注入口から注入しやすいパウチ容器を提供する。【解決手段】フレキシブルシートによって袋状に形成されたパウチ１０と、パウチ１０に装着される注入口部材２０及び注出口部材３０とを備えている。パウチ１０は、表裏一対の外装シート１１と、両外装シート１１の下端部から内側に折り込まれてボトムガセット部を形成するガセットシート１２とから構成されており、折り込まれたガセットシート１２の内面の周縁が外装シート１１の周縁部にヒートシールされると共に外装シート１１の周縁部同士が相互にヒートシールされることで、袋状に形成されている。注入口部材２０は、注入口を有する本体部２１と、注入口を開閉するスクリューキャップ２２とから構成されており、パウチ１０を自立させた状態で、注入口が略真上を向くように、本体部２１が外装シート１１の上縁ＵＥに挟み込まれた状態でヒートシールされている。【選択図】        図２
2008143526.tif 000002
【特許請求の範囲】
【請求項１】
自立性を有するパウチと、このパウチに装着された注入口部材及び注出口部材とを備え、
前記パウチには、内容物を注出する際に吊り下げるための吊下穴が形成されているパウチ容器において、
前記パウチを自立させた状態で、前記注入口部材の注入口が略真上を向くように、前記パウチの上縁に前記注入口部材が装着されていることを特徴とするパウチ容器。
【請求項２】
前記吊下穴で前記パウチを吊り下げると、前記注入口部材の注入口が斜め上方を向くようになっている請求項１に記載のパウチ容器。
【請求項３】
前記パウチには、前記注入口部材の注入口が斜め上方を向くように吊り下げることができる注入用吊下穴が形成されている請求項１に記載のパウチ容器。
【請求項４】
前記パウチは、折り畳み可能な張出部を有している請求項１、２または３に記載のパウチ容器。
【請求項５】
前記注出口部材は、前記張出部に装着されており、前記張出部を折り畳んだ状態では、前記注出口部材が前記パウチから突出しないようになっている請求項４に記載のパウチ容器。
【請求項６】
前記注出口部材は、前記張出部に装着されており、前記張出部は、連通可能な隔壁部によって区画されている請求項４に記載のパウチ容器。
【発明の詳細な説明】
【技術分野】
【０００１】
この発明は、例えば、流動食や経腸栄養剤等（以下、流動食等という。）を充填する容器のように、注入口部材や注出口部材を有する、吊り下げた状態で使用するパウチ容器、特に、自立性を有するパウチ容器に関する。
【背景技術】
【０００２】
例えば、流動食等を充填するパウチ容器としては、図１０に示すようなものがある。このパウチ容器５０は、同図に示すように、流動食等が充填されるボトムガセットタイプのパウチ５１と、このパウチ５１に装着された注入口部材５２及び注出口部材５３とを備えている。
【０００３】
前記パウチ５１は、同図に示すように、表裏一対の外装シート５１ａの下端部からガセットシート５１ｂが内側に折り込まれ、そのガセットシート５１ｂの周縁部が外装シート５１ａにヒートシールされると共に外装シート５１ａの上縁部及び両側縁部が相互にヒートシールされることによって袋状に形成されており、両側縁のヒートシール部分には、注入口部材５２及び注出口部材５３が装着されていると共に、吊下穴５１ｃが形成されている。従って、このパウチ容器５０は、図１０に示すように、ボトムガセット部を下にして載置することにより、自立させることができると共に、例えば、図１１に示すように、吊下穴５１ｃに吊下具等（図示せず）を引っかけて、注出口部材５３が下を向くように吊り下げた状態で使用することができるようになっている。
【０００４】
前記注入口部材５２は、図１０に示すように、注入口を開閉するスクリューキャップ５２ａを備えており、このスクリューキャップ５２ａを外して、注入口からパウチ５１内に湯水を注入することによって、パウチ５１に充填されている流動食等を希釈したり、流動食等の注出後にパウチ５１の内面に付着した流動食等を洗い流すと共に水分を補給したりすることができるようになっている。
【０００５】
前記注出口部材５３は、先端部５３ａを折り取ることによって注出口が形成されるようになっており、この注出口部材５３の先端部５３ａが略真上を向くように一旦吊り下げた状態で、先端部５３ａを折り取ることによって注出口を形成した後、その注出口部材５３にチューブを接続し、注出口部材５３の注出口が略真下を向くようにパウチ５１を吊り下げ直した状態（図１１参照）で、流動食等をチューブを通して、人に投与することができるようになっている。
【０００６】
【特許文献１】特開２０００−６９９９号公報
【発明の開示】
【発明が解決しようとする課題】
【０００７】
しかしながら、上述したようなパウチ容器５０では、自立させると、図１０に示すように、注入口部材５３の注入口が横を向くようになっているので、安定した自立状態で、パウチ５１内に湯水を補給することができず、図１１に示すように、不安定な吊下状態で、パウチ５１内に湯水を注入しなければならないといった問題がある。
【０００８】
かかる問題を解決するためには、パウチの側縁上部を斜めに傾斜させ、その傾斜縁に、注入口が斜め上を向くように、注出口部材を装着すると、自立させた安定状態で、湯水等をパウチ内に注入することができるが、注入しずらいといった問題がある。
【０００９】
そこで、この発明の課題は、自立させた安定状態で注入口部材の注入口から注入しやすいパウチ容器を提供することにある。
【課題を解決するための手段】
【００１０】
上記の課題を解決するため、請求項１にかかる発明は、自立性を有するパウチと、このパウチに装着された注入口部材及び注出口部材とを備え、前記パウチには、内容物を注出する際に吊り下げるための吊下穴が形成されているパウチ容器において、前記パウチを自立させた状態で、前記注入口部材の注入口が略真上を向くように、前記パウチの上縁に前記注入口部材が装着されていることを特徴とするパウチ容器を提供するものである。
【００１１】
また、請求項２にかかる発明は、請求項１にかかる発明のパウチ容器において、前記吊下穴で前記パウチを吊り下げると、前記注入口部材の注入口が斜め上方を向くようになっていることを特徴としている。
【００１２】
また、請求項３にかかる発明は、請求項１にかかる発明のパウチ容器において、前記パウチには、前記注入口部材の注入口が斜め上方を向くように吊り下げることができる注入用吊下穴が形成されていることを特徴としている。
【００１３】
また、請求項４にかかる発明は、請求項１、２または３にかかる発明のパウチ容器において、前記パウチが、折り畳み可能な張出部を有していることを特徴としている。
【００１４】
また、請求項５にかかる発明は、請求項４にかかる発明のパウチ容器において、前記注出口部材が、前記張出部に装着されており、前記張出部を折り畳んだ状態では、前記注出口部材が前記パウチから突出しないようになっていることを特徴としている。
【００１５】
また、請求項６にかかる発明は、請求項４にかかる発明のパウチ容器において、前記注出口部材が、前記張出部に装着されており、前記張出部が、連通可能な隔壁部によって区画されていることを特徴としている。
【発明の効果】
【００１６】
以上のように、請求項１にかかる発明のパウチ容器を自立させると、注入口部材の注入口が略真上を向いているので、パウチ容器を自立させた安定状態で、注入口部材の注入口から円滑かつ確実に注入することができる。
【００１７】
また、請求項２にかかる発明のパウチ容器は、吊下穴でパウチを吊り下げると、注入口部材の注入口が斜め上方を向くようになっているので、パウチ容器を自立させた状態で注入することができるだけでなく、吊り下げた状態でも注入することが可能であり、使い勝手がよい。
【００１８】
また、請求項３にかかる発明のパウチ容器は、注入用吊下穴でパウチを吊り下げると、注入口部材の注入口が斜め上方を向くようになっているので、パウチ容器を自立させた状態で注入することができるだけでなく、吊り下げた状態でも注入することが可能であり、使い勝手がよい。
【００１９】
また、請求項４にかかる発明のパウチ容器は、パウチが、折り畳み可能な張出部を有しているので、内容物の充填量が少ない注入前の状態では、張出部を折り畳んで、粘着テープやホットメルト接着剤等を用いて、注入時に広げることができるように止めておくと、パウチ容器自体がコンパクトになり、効率よく輸送したり、保管したりすることができる。
【００２０】
また、請求項５にかかる発明のパウチ容器は、注出口部材が、張出部に装着されており、張出部を折り畳んだ状態では、注出口部材がパウチから突出しないようになっているので、内容物の充填量が少ない注入前の状態では、パウチ容器自体をさらにコンパクトにすることができる。
【００２１】
また、請求項６にかかる発明のパウチ容器は、注出口部材が張出部に装着されており、しかも、張出部が連通可能な隔壁部によって区画されているので、注出口部材の注出口を開いても、内容物が注出されることがない。従って、パウチ容器を自立させた安定状態で注入した後、そのままの状態で、注出口部材の注出口を開き、その注出口部材にチューブ等を接続することが可能となり、その後に、隔壁部を開通させることによって注出させればよいので、注入後に、一旦、注出口部材の注出口が略真上を向くように吊り下げ直した状態で、注出口部材の注出口を開いてチューブ等を接続しなければならなかった従来のパウチ容器に比べて使い勝手がよい。
【発明を実施するための最良の形態】
【００２２】
以下、実施の形態について図面を参照して説明する。図１（ａ）、（ｂ）は、流動食等の内容物が充填されるパウチ容器１であり、フレキシブルシートによって袋状に形成された、自立性を有するボトムガセットタイプのパウチ１０と、このパウチ１０に装着される、希釈水等を注入するための注入口部材２０及び内容物を注出するための注出口部材３０とを備えている。
【００２３】
前記パウチ１０は、図２に示すように、二軸延伸ポリエステルフィルムや二軸延伸ポリアミドフィルム等からなる基材層に、低密度ポリエチレン、高密度ポリエチレン、線状低密度ポリエチレン、ポリプロピレンやメタロセン系ポリエチレン等からなるシーラント層がラミネートされたフレキシブルシート（必要に応じて、基材層にアルミニウム箔、酸化ケイ素等の無機物を蒸着したガスバリア層を積層してもよい。）によって形成された表裏一対の外装シート１１、１１と、両外装シート１１、１１の下端部から内側に折り込まれてボトムガセット部を形成する、外装シート１１と同一構造のフレキシブルシートによって形成されたガセットシート１２とから構成されており、同図に示すように、折り込まれたガセットシート１２の内面の周縁が外装シート１１、１１の下部側周縁部の内面にヒートシールされると共に、外装シート１１、１１におけるガセットシート１２よりも上側の周縁部における内面同士が相互にヒートシールされることで、袋状に形成されている。なお、同図における網掛け表示部分が、パウチ１０のヒートシール部分を示している。
【００２４】
このパウチ１０は、外装シート１１、１１の一方の側縁の上半部が外側に湾曲するように張り出した張出部１０Ａを有しており、外装シート１１、１１における他方の側縁上部の幅広のヒートシール部分には、上下に２個の吊下穴１０ａ、１０ｂが形成されていると共に、外装シート１１、１１とガセットシート１２とが相互にヒートシールされている一方の下端コーナ部にも吊下穴１０ｃが形成されている。
【００２５】
また、ガセットシート１２の両側縁には、二つ折りした状態で相互に一致する切欠部１２ａがそれぞれ形成されており、この切欠部１２ａを介して、外装シート１１、１１の両側縁における下端部同士が部分的にヒートシール（スポットシール）されている。なお、同図における濃い網掛け表示部分がスポットシール部分を示している。
【００２６】
前記注入口部材２０は、注入口を有する本体部２１と、この本体部２１の注入口を開閉するスクリューキャップ２２とから構成されており、パウチ１０を自立させた状態で、注入口が略真上を向くように、本体部２１が外装シート１１、１１の上縁ＵＥに挟み込まれた状態で、外装シート１１、１１にヒートシールされている。
【００２７】
前記注出口部材３０は、図３（ａ）〜（ｃ）に示すように、先端部３１ａを捻り取ることによって注出口が形成される本体部３１と、この本体部３１を覆うように装着されるカバー３２とを備えており、本体部３１が外装シート１１、１１における張出部１０Ａの下部傾斜縁ＤＳＥに挟み込まれた状態で、外装シート１１、１１にヒートシールされている。なお、この注出口部材３０は、カバー３２を回転させることによって本体部３１の先端部３１ａが捻り取られ、本体部３１から外れるようになっている。
【００２８】
以上のように構成されたパウチ容器１に充填された流動食等を人に投与する際は、まず、図４に示すように、パウチ容器１を自立させた状態で、注入口部材２０のスクリューキャップ２２を外し、真上を向いている注入口から希釈水等を注入した後、スクリューキャップ２２によって注入口を閉じる。次に、図５に示すように、吊下穴１０ｃをフックＦＣ等に引っかけてパウチ容器１を吊り下げると、注出口部材３０が、パウチ１０内の流動食等の液面よりも上方側に位置することになり、その先端が上を向くので、上述したように、注出口部材３０のカバー３２を回転させることによって本体部３１の先端部３１ａを捻り取って注出口を形成し、注出口が形成された本体部３１に、流動食を人の口に導くためのチューブを装着した後、図６に示すように、吊下穴１０ｂをフックＦＣ等に引っかけてパウチ容器１を吊り下げ直すと、注出口部材３０がパウチ１０内の充填空間の最下位置に接続された状態となるので、パウチ１０内に充填された流動食等を残さずに確実に注出することができる。
【００２９】
また、パウチ１０内に付着している流動食等についても投与したい場合は、図７に示すように、吊下穴１０ａをフックＦＣ等に引っかけてパウチ容器１を吊り下げ直すと、注入口部材２０の注入口が斜め上方を向くので、スクリューキャップ２２を外して、注入口部材２０の注入口から湯水等を注入することによってパウチ１０内に付着している流動食を洗い流した後、再度、吊下穴１０ｂをフックＦＣ等に引っかけてパウチ容器１を吊り下げ直して投与すればよい。
【００３０】
以上のように、このパウチ容器１を自立させると、注入口部材２０の注入口が略真上を向くようになっているので、パウチ容器１を自立させた安定状態で、注入口部材２０の注入口から円滑かつ確実に希釈水等を注入することができる。
【００３１】
また、このパウチ容器１は、吊下穴１０ａをフックＦＣ等に引っかけて吊り下げると、注入口部材２０の注入口が斜め上方を向くようになっているので、吊り下げた状態でも湯水等を注入することができる。従って、上述したように、最後に、パウチ１０内に付着している流動食等を洗い流すような場合、注出口部材３０の本体部３１にチューブＣが接続されたパウチ容器１を自立させる必要がなく、使い勝手がよい。
【００３２】
また、このパウチ容器１は、上述したように、パウチ１０が折り畳み可能な張出部１０Ａを有しているので、流動食等の充填量が少ない希釈水等の注入前の状態では、例えば、図８（ａ）、（ｂ）に示すように、同図（ａ）に二点鎖線で示す折曲ラインで張出部１０Ａを折り畳み、希釈水等の注入時に広げることができるように、粘着テープＡＴやホットメルト接着剤等を用いて張出部１０Ａの折り畳み状態を保持しておくと、パウチ１０自体がコンパクトになり、しかも、注出口部材３０がパウチ１０から突出することがないので、効率よく輸送したり、保管したりすることができる。従って、張出部１０Ａの折曲ラインに、予め、折り罫等の折目線等を形成しておくことが望ましい。
【００３３】
図９（ａ）、（ｂ）は他の実施形態を示している。このパウチ容器２も、上述したパウチ容器１と略同一の構成を有しているので、同一の構成要素には、同一符号を付してその説明を省略し、異なる構成要素について説明する。このパウチ容器２は、上述したパウチ容器１と同様に、同図（ａ）に二点鎖線で示す折曲ラインで張出部１０Ａを折り畳み、その折り畳まれた張出部１０Ａをホットメルト接着剤等によって、剥離可能に貼着しているが、折曲ラインの内側近傍に、張出部１０Ａを区画する、外装シート１１、１１同士が帯状にヒートシールされた隔壁部Ｐが形成されており、パウチ１０に充填された流動食等が張出部１０Ａに進入することができない状態となっている点で、パウチ容器１とは相違している。なお、同図（ａ）における網掛け表示部分が隔壁部Ｐを示している。
【００３４】
張出部１０Ａを区画している隔壁部Ｐは、外装シート１１の周縁のヒートシール部分よりも、シール強度が小さく、パウチ１０における流動食等が充填されている部分を押えて、その内圧を高くすると、シール強度の小さい隔壁部Ｐにシール破壊が発生して、シールされている外装シート１１、１１同士が離反し、充填されている流動食等が張出部１０Ａに進入可能な状態となる。
【００３５】
従って、このパウチ容器２では、自立させた安定状態で希釈水等を注入した後、そのままの状態で、注出口部材３０のカバー３２を外して本体部３１に注出口を形成し、その本体部３１にチューブ等を接続することが可能となり、その後に、隔壁部Ｐを開通させて流動食等を注出させればよいので、注出口部材３０の本体部３１に注出口を形成するために、一旦、注出口部材３０がパウチ１０内の流動食等の液面よりも上方側に位置するように、吊下穴１０ｃでパウチ容器２を吊り下げる必要がなく、使い勝手がよい。
【００３６】
なお、上述した各実施形態では、パウチ１０に充填された流動食等を注出する際に使用する吊下穴１０ｂ以外に、パウチ１０内に湯水等を注入する際に使用する吊下穴１０ａを別途設けているが、これに限定されるものではなく、パウチ容器を吊り下げたときに、注出口部材がパウチ内の充填空間の最下位置に接続された状態となり、しかも、注入口部材の注入口が斜め上方を向くのであれば、１つの吊下穴で双方の役割を兼用させることも可能である。
【００３７】
また、上述した実施形態では、流動食等を充填するためのパウチ容器について説明したが、これに限定されるものではなく、本発明は、自立性を有するパウチに注入口部材及び注出口部材が装着された、吊り下げた状態で内容物を注出する種々のパウチ容器に適用することができる。
【図面の簡単な説明】
【００３８】
【図１】（ａ）はこの発明にかかるパウチ容器の一実施形態を示す斜視図、（ｂ）は同上のパウチ容器を示す側面図である。
【図２】同上のパウチ容器における内容物を充填する前の状態を示す正面図である。
【図３】（ａ）は同上のパウチ容器に装着されている注出口部材を示す側面図、（ｂ）は同上の注出口部材を構成している本体部を示す側面図、（ｃ）は同上の注出口部材を構成しているカバーを示す側面図である。
【図４】同上のパウチ容器に充填された流動食等の投与方法を説明するための説明図である。
【図５】同上のパウチ容器に充填された流動食等の投与方法を説明するための説明図である。
【図６】同上のパウチ容器に充填された流動食等の投与方法を説明するための説明図である。
【図７】同上のパウチ容器に充填された流動食等の投与方法を説明するための説明図である。
【図８】（ａ）、（ｂ）は同上のパウチ容器の輸送時や保管時の形態を説明するための説明図である。
【図９】（ａ）、（ｂ）は他の実施形態であるパウチ容器を示す正面図である。
【図１０】従来のパウチ容器を示す正面図である。
【図１１】同上のパウチ容器の使用方法を説明するための説明図である。
【符号の説明】
【００３９】
１、２  パウチ容器
１０  パウチ
１０Ａ  張出部
１０ａ  吊下穴（注入用吊下穴）
１０ｂ、１０ｃ  吊下穴
１１  外装シート
１２  ガセットシート
１２ａ  切欠部
２０  注入口部材
２１  本体部
２２  スクリューキャップ
３０  注出口部材
３１  本体部
３２  カバー
ＵＥ  上縁
ＤＳＥ  下部傾斜縁
ＦＣ  フック
Ｐ  隔壁部
【図１】
2008143526.tif 000003
【図２】
2008143526.tif 000004
【図３】
2008143526.tif 000005
【図４】
2008143526.tif 000006
【図５】
2008143526.tif 000007
【図６】
2008143526.tif 000008
【図７】
2008143526.tif 000009
【図８】
2008143526.tif 000010
【図９】
2008143526.tif 000011
【図１０】
2008143526.tif 000012
【図１１】
2008143526.tif 000013